(57)【要約】【課題】装用者の個々に応じて最適な眼鏡レンズを安価に選択することができる眼鏡レンズ選択方法の提供。【解決手段】遠用アイポイントから水平に延びる水平注視野幅Ｆｗを決定し、眼球下転量Ｉｎｄｉｈを測定し、この眼球下転量Ｉｎｄｉｈと、遠用アイポイント高さＦｈと、累進帯長ＳＰｈと、近用部高さＮｈとに基づいて、ΔＥ＝Ｉｎｄｉｈ−（Ｆｈ＋ＳＰｈ＋Ｎｈ）の式からΔＥを求め、このΔＥと、玉型高さＢｈと、上部フレーム高さＯｈと、遠用アイポイント高さＦｈと、累進帯長ＳＰｈと、近用部高さＮｈと、下部フレーム高さＵｈとに基づいて、ΔＢｈ＝Ｂｈ−（Ｏｈ＋Ｆｈ＋ＳＰｈ＋Ｎｈ＋ΔＥ＋Ｕｈ）の式からΔＢｈを求め、水平注視野幅Ｆｗが決定された値であり、０ｍｍ≦ΔＥ≦２ｍｍであり、かつ、０ｍｍ＜ΔＢｈの条件を満たす条件で遠用部領域の広狭の複数のレンズから１つの眼鏡レンズを選択する。【選択図】図１７
2011048327.tif 000002
【特許請求の範囲】
【請求項１】
遠用部領域、累進帯及び近用部領域を有する眼鏡レンズを選択する眼鏡レンズ選択方法であって、
遠用アイポイントから水平に延びる水平注視野幅Ｆｗを決定する水平注視野幅決定工程と、
前記遠用アイポイントから近用アイポイントまでの長さである眼球下転量Ｉｎｄｉｈを測定する眼球下転量測定工程と、
前記眼球下転量Ｉｎｄｉｈと、前記遠用部領域と前記累進帯との境界線から前記遠用アイポイントまでの遠用アイポイント高さＦｈと、前記遠用部領域と前記累進帯との境界線から前記累進帯と前記近用部領域との境界線までの長さの累進帯長ＳＰｈと、前記累進帯と前記近用部領域との境界線から前記近用部領域の光学中心までの近用部高さＮｈとに基づいて（１）の式からΔＥを求める手順と、
このΔＥと、前記眼鏡レンズの玉型高さＢｈと、前記遠用アイポイントから前記眼鏡レンズ上端までの上部フレーム高さＯｈと、前記遠用アイポイント高さＦｈと、前記累進帯長ＳＰｈと、前記近用部高さＮｈと、前記眼鏡レンズ下端から前記近用アイポイントまでの下部フレーム高さＵｈとに基づいて（２）の式からΔＢｈを求める手順と
を有する演算工程と、
ΔＥ＝Ｉｎｄｉｈ-（Ｆｈ＋ＳＰｈ＋Ｎｈ）                      （１）
ΔＢｈ＝Ｂｈ-（Ｏｈ＋Ｆｈ＋ＳＰｈ＋Ｎｈ＋ΔＥ＋Ｕｈ）        （２）
前記水平注視野幅決定工程で決定された水平注視野幅Ｆｗを満たし、０ｍｍ≦ΔＥ≦２ｍｍ、かつ、０ｍｍ＜ΔＢｈの条件を満たす眼鏡レンズを選択する判定工程と、
を備えたことを特徴とする眼鏡レンズ選択方法。
【請求項２】
請求項１に記載された眼鏡レンズ選択方法において、
まず、前記遠用部領域が狭い眼鏡レンズにおいて、前記判定工程を実施し、
前記判定工程の条件を満たしている場合には当該眼鏡レンズを選択し、
前記遠用アイポイント高さＦｈの値が前記判定工程の条件を満たしていない場合には、前記遠用部領域が狭い眼鏡レンズよりも、前記遠用部領域が広いタイプの眼鏡レンズにおいて前記判定工程を実施することを特徴とする眼鏡レンズ選択方法。
【請求項３】
請求項２に記載された眼鏡レンズ選択方法において、
水平注視野幅Ｆｗが６ｍｍより大きい眼鏡レンズであって、遠用部領域が狭いタイプ、遠用部領域が広いタイプ及び遠用部領域が中間のタイプの３種類の眼鏡レンズから１つの眼鏡レンズを選択するにあたり、４ｍｍ＜Ｆｈの場合は遠用部領域が狭いタイプの眼鏡レンズを選択し、３ｍｍ＜Ｆｈ≦４ｍｍの場合は遠用部領域が中間のタイプの眼鏡レンズを選択し、１ｍｍ≦Ｆｈ≦３ｍｍの場合は遠用部領域が広いタイプの眼鏡レンズを選択することを特徴とする眼鏡レンズ選択方法。
【請求項４】
請求項２に記載された眼鏡レンズ選択方法において、
水平注視野幅Ｆｗが４．５ｍｍより大きく６ｍｍ以下の眼鏡レンズであって、遠用部領域が狭いタイプ、遠用部領域が広いタイプ及び遠用部領域が中間のタイプの３種類の眼鏡レンズから１つの眼鏡レンズを選択するにあたり、３ｍｍ＜Ｆｈの場合は遠用部領域が狭いタイプの眼鏡レンズを選択し、２．５ｍｍ＜Ｆｈ≦３ｍｍの場合は遠用部領域が中間のタイプの眼鏡レンズを選択し、０．８ｍｍ≦Ｆｈ≦２．５ｍｍの場合は遠用部領域が広いタイプの眼鏡レンズを選択することを特徴とする眼鏡レンズ選択方法。
【請求項５】
請求項２に記載された眼鏡レンズ選択方法において、
水平注視野幅Ｆｗが３．７５ｍｍより大きく４．５ｍｍ以下の眼鏡レンズであって、遠用部領域が狭いタイプ、遠用部領域が広いタイプ及び遠用部領域が中間のタイプの３種類の眼鏡レンズから１つの眼鏡レンズを選択するにあたり、２．５ｍｍ＜Ｆｈの場合は遠用部領域が狭いタイプの眼鏡レンズを選択し、２ｍｍ＜Ｆｈ≦２．５ｍｍの場合は遠用部領域が中間のタイプの眼鏡レンズを選択し、０．５ｍｍ≦Ｆｈ≦２ｍｍの場合は遠用部領域が広いタイプの眼鏡レンズを選択することを特徴とする眼鏡レンズ選択方法。
【請求項６】
請求項３から請求項５のいずれかに記載された眼鏡レンズ選択方法において、
前記水平注視野幅決定工程は、水平注視野角Ｆａと、前記遠用アイポイントと眼球との間の眼鏡装用距離ＥＬとから水平注視野幅Ｆｗを（３）の式で求める
Ｆｗ＝ＥＬtanＦａ              （３）
ことを特徴とする眼鏡レンズ選択方法。
【請求項７】
請求項３から請求項５のいずれかに記載された眼鏡レンズ選択方法において、
前記水平注視野幅決定工程は、前記水平注視野角Ｆａを一定とすることを特徴とする眼鏡レンズ選択方法。
【請求項８】
遠用部領域、累進帯及び近用部領域を有する眼鏡レンズを選択する眼鏡レンズ選択システムであって、
実際に装着する眼鏡レンズの遠用アイポイントから水平に延びる水平注視野幅Ｆｗを決定する水平注視野幅決定装置と、
前記遠用アイポイントから前記近用アイポイントまでの長さの眼球下転量Ｉｎｄｉｈを測定する眼球下転量測定装置と、
この眼球下転量測定装置で測定された測定値を含む情報から複数種類の眼鏡レンズから１つの眼鏡レンズを選択する選択装置とを備え、
この選択装置は、前記眼球下転量Ｉｎｄｉｈと、前記遠用部領域と前記累進帯との境界線から前記遠用アイポイントまでの遠用アイポイント高さＦｈと、前記遠用部領域と前記累進帯との境界線から前記累進帯と前記近用部領域との境界線までの長さの累進帯長ＳＰｈと、前記累進帯と前記近用部領域との境界線から前記近用部領域の光学中心までの近用部高さＮｈとに基づいて（１）の式からΔＥを求め、
このΔＥと、前記眼鏡レンズの玉型高さＢｈと、前記遠用アイポイントから前記眼鏡レンズ上端までの上部フレーム高さＯｈと、前記遠用アイポイント高さＦｈと、前記累進帯長ＳＰｈと、前記近用部高さＮｈと、前記眼鏡レンズから前記近用アイポイントまでの下部フレーム高さＵｈとに基づいて（２）の式からΔＢｈを求める演算部と、
ΔＥ＝Ｉｎｄｉｈ-（Ｆｈ＋ＳＰｈ＋Ｎｈ）                      （１）
ΔＢｈ＝Ｂｈ-（Ｏｈ＋Ｆｈ＋ＳＰｈ＋Ｎｈ＋ΔＥ＋Ｕｈ）        （２）
前記水平注視野幅決定装置で決定された水平注視野幅Ｆｗを満たし、０ｍｍ≦ΔＥ≦２ｍｍ、かつ、０ｍｍ＜ΔＢｈの条件を満たす眼鏡レンズを判定する判定部と、を有する
ことを特徴とする眼鏡レンズ選択システム。
【請求項９】
請求項８に記載された眼鏡レンズ選択システムにおいて、
前記眼球下転量測定装置は、眼鏡装用者の前記遠用アイポイントに対応する視線の位置と前記近用アイポイントに対応する視線の位置とを検出する視線位置検出手段と、この視線位置検出手段で検出された前記遠用アイポイントの位置と前記近用アイポイントの位置との間の長さを算出するとともに当該算出値を前記演算部に出力する長さ算出手段とを備えたことを特徴とする眼鏡レンズ選択システム。
【請求項１０】
請求項９に記載された眼鏡レンズ選択システムにおいて、
前記眼鏡レンズが設けられたフレームの前傾角を測定する前傾角測定手段を備えたことを特徴とする眼鏡レンズ選択システム。
【発明の詳細な説明】
【技術分野】
【０００１】
本発明は、それぞれ遠用部領域、累進帯及び近用部領域を有するとともに遠用部領域が狭いタイプから広いタイプまで複数種類の眼鏡レンズから１つの眼鏡レンズを選択する眼鏡レンズ選択方法及びその選択システムに関する。
【背景技術】
【０００２】
眼鏡レンズには単焦点眼鏡レンズの他に累進屈折力眼鏡レンズがある。この累進屈折力レンズはレンズの上方に遠くのものを見るための遠用部領域と、レンズの下方に近くのものを見るための近用部領域と、遠用部領域と近用部領域の中間に連続的に屈折力の変わる累進帯と、それ以外の「側方部」または「周辺部」と呼ばれる領域とを有する。
遠用部領域、累進帯及び近用部領域は、装用者の検眼情報、フレーム情報、眼鏡レンズ情報、その他の情報に基づいて設計されるが、個々の装用者の条件等に応じて種々の眼鏡レンズが設計される。
【０００３】
このような眼鏡レンズを設計するにあたり、眼球運動測定装置からの情報を得て眼鏡をかけた状態での個人の眼球運動経路をソフトウェアで分析することにより、１つ以上のアイポイント又は平均的な領域を特定し、その情報を元に標準レンズを個々人の眼に合わせて修正した眼鏡レンズをカスタム設計する従来例がある（特許文献１）。
また、頭追跡システムと、眼鏡装用者の動作統計モデルの統計分析結果から引き出される値を使用し、眼鏡装用者の個々の視覚動作パターンを判定し、フレーム選択指導や、公知の複数のレンズから最適なレンズデザインを奨励する従来例（特許文献２）がある。
【先行技術文献】
【特許文献】
【０００４】
【特許文献１】特表２００８−５２１０２７公報
【特許文献２】特表２００３−５２３２４４公報
【発明の概要】
【発明が解決しようとする課題】
【０００５】
特許文献１の従来例では、眼球運動測定装置で眼や頭の動きの情報を得て、この情報をソフトウェアで解析するものであるが、個々の装用者の頭及び眼球運動を測定した結果を使用目的に応じてどのようにレンズ設計に利用するか不明である。特に、累進屈折力眼鏡レンズを設計する上で多くの要素がかかわってくるが、これらの要素の中での優先順位が明確にされておらず、合理的なレンズ設計が行えるとは限らない。さらに、眼球運動測定装置を用いるので、装置全体が高価なものとなる。
特許文献２の従来例は、特許文献１と同様、個々の装用者の頭や眼の動きの情報を、眼鏡使用目的に応じてどのようにレンズ設計に利用するかが不明であり、頭追跡システムを利用するので、装置全体が高価なものとなり、測定に際して長時間を要することになる。
【０００６】
本発明の目的は、装用者の個々に応じて最適な眼鏡レンズを安価に選択することができる眼鏡レンズ選択方法及び眼鏡レンズ選択システムを提供することにある。
【課題を解決するための手段】
【０００７】
本発明の眼鏡レンズ選択方法は、遠用部領域、累進帯及び近用部領域を有する眼鏡レンズを選択する眼鏡レンズ選択方法であって、遠用アイポイントから水平に延びる水平注視野幅Ｆｗを決定する水平注視野幅決定工程と、前記遠用アイポイントから近用アイポイントまでの長さである眼球下転量Ｉｎｄｉｈを測定する眼球下転量測定工程と、前記眼球下転量Ｉｎｄｉｈと、前記遠用部領域と前記累進帯との境界線から前記遠用アイポイントまでの遠用アイポイント高さＦｈと、前記遠用部領域と前記累進帯との境界線から前記累進帯と前記近用部領域との境界線までの長さの累進帯長ＳＰｈと、前記累進帯と前記近用部領域との境界線から前記近用部領域の光学中心までの近用部高さＮｈとに基づいて（１）の式からΔＥを求める手順と、このΔＥと、前記眼鏡レンズの玉型高さＢｈと、前記遠用アイポイントから前記眼鏡レンズ上端までの上部フレーム高さＯｈと、前記遠用アイポイント高さＦｈと、前記累進帯長ＳＰｈと、前記近用部高さＮｈと、前記眼鏡レンズ下端から前記近用アイポイントまでの下部フレーム高さＵｈとに基づいて（２）の式からΔＢｈを求める手順とを有する演算工程と、
ΔＥ＝Ｉｎｄｉｈ−（Ｆｈ＋ＳＰｈ＋Ｎｈ）                    （１）
ΔＢｈ＝Ｂｈ−（Ｏｈ＋Ｆｈ＋ＳＰｈ＋Ｎｈ＋ΔＥ＋Ｕｈ）      （２）
前記水平注視野幅決定工程で決定された水平注視野幅Ｆｗを満たし、０ｍｍ≦ΔＥ≦２ｍｍ、かつ、０ｍｍ＜ΔＢｈの条件を満たす眼鏡レンズを選択する判定工程と、を備えたことを特徴とする。
【０００８】
この構成の本発明では、演算工程によって、眼球下転量測定工程で測定された眼球下転量Ｉｎｄｉｈと、予め求められた遠用アイポイント高さＦｈ、累進帯長ＳＰｈ及び近用部高さＮｈとに基づいてΔＥを算出し、さらに、このΔＥと、予め求められた玉型高さＢｈ、上部フレーム高さＯｈ、遠用アイポイント高さＦｈと、累進帯長ＳＰｈ、近用部高さＮｈ及び下部フレーム高さＵｈとに基づいてΔＢｈを算出する。判定工程では、対象となる眼鏡レンズが水平注視野幅決定工程で決定された水平注視野幅Ｆｗを満たし、さらに、演算工程で算出されたΔＥが、０ｍｍ≦ΔＥ≦２ｍｍの条件を満たし、かつ、演算工程で算出されたΔＢｈが、０ｍｍ＜ΔＢｈの条件を満たした場合には、当該眼鏡レンズを適正なものとして選択する。
そのため、本発明では、眼鏡レンズの選択にあたり、対象となる眼鏡レンズが水平注視野幅決定工程で決定された水平注視野幅Ｆｗを満たすことを条件としたので、装用者が頭を動かさず水平方向に見る範囲が確保されることになる。さらに、０ｍｍ≦ΔＥを満たすことを条件としたので、装用者の眼球下転量Ｉｎｄｉｈが遠用アイポイント高さＦｈ、累進帯長ＳＰｈ及び近用部高さＮｈの合計値より等しいかあるいは大きくなり、個々の装用者が眼鏡をつけた際に、視線を遠用部領域と近用部領域とに通過させることができる。その上、ΔＥ≦２であるため、フレームのマージンの２ｍｍを考慮した合理的な設計を実施することができる。また、０ｍｍ＜ΔＢｈであるため、個々の装用者により異なるΔＥの値を加えて眼鏡レンズの玉型高さＢｈが適正か否かを判断することができる。そして、遠用アイポイント高さＦｈによって遠用部領域の広さが異なる複数種類の眼鏡レンズから１つの眼鏡レンズを選択する。遠用アイポイント高さＦｈが大きければ遠用部領域が狭い眼鏡レンズを選択し、遠用アイポイントの高さＦｈが小さければ遠用部領域が広い眼鏡レンズを選択する。
以上の通り、本発明では、複数種類から1種類の累進屈折力眼鏡レンズを選択するにあたり、重要性の高い要素を判断に加えているので、合理的な眼鏡レンズの設計を行うことができる。しかも、眼や頭の動きを捉える装置や複雑な処理を行うソフトウェアも不要とされるので、眼鏡レンズの選択を安価に行うことができる。
【０００９】
本発明では、まず、前記遠用部領域が狭い眼鏡レンズにおいて、前記判定工程を実施し、前記判定工程の条件を満たしている場合には当該眼鏡レンズを選択し、前記遠用アイポイント高さＦｈの値が前記判定工程の条件を満たしていない場合には、前記遠用部領域が狭い眼鏡レンズよりも、前記遠用部領域が広いタイプの眼鏡レンズにおいて前記判定工程を実施する構成が好ましい。
この構成の本発明では、遠用部領域の狭いタイプから広いタイプに眼鏡レンズの選択の順位がつけられているので、初めて累進屈折力眼鏡レンズを使用する装用者や使用期間の短い装用者に好ましい眼鏡レンズを選択することができる。つまり、遠用部領域の広いタイプの眼鏡レンズは収差が大きく、装用者の眼に負担をかけやすいのに対して、遠用部領域の狭いタイプの眼鏡レンズは収差が小さく、装用者の眼への負担が小さい。累進屈折力眼鏡レンズを初めて使用する装用者等は、はじめに収差の小さな遠用部領域の狭い眼鏡レンズを選択対象とし、この眼鏡レンズが前述の判定工程での条件に一致するか否かを選択することで、合理的な眼鏡レンズの選択を行うことができる。
【００１０】
また、本発明では、水平注視野幅Ｆｗが６ｍｍより大きい眼鏡レンズであって、遠用部領域が狭いタイプ、遠用部領域が広いタイプ及び遠用部領域が中間のタイプの３種類の眼鏡レンズから１つの眼鏡レンズを選択するにあたり、４ｍｍ＜Ｆｈの場合は遠用部領域が狭いタイプの眼鏡レンズを選択し、３ｍｍ＜Ｆｈ≦４ｍｍの場合は遠用部領域が中間のタイプの眼鏡レンズを選択し、１ｍｍ≦Ｆｈ≦３ｍｍの場合は遠用部領域が広いタイプの眼鏡レンズを選択する構成が好ましい。
この構成の本発明では、遠近重視タイプの眼鏡レンズにおいて、遠用部領域が広いタイプ、中間のタイプ及び狭いタイプの３タイプ眼鏡レンズから装用者の好ましい１タイプの眼鏡レンズを合理的に選択することができる。
そして、本発明では、水平注視野幅Ｆｗが４．５ｍｍより大きく６ｍｍ以下の眼鏡レンズであって、遠用部領域が狭いタイプ、遠用部領域が広いタイプ及び遠用部領域が中間のタイプの３種類の眼鏡レンズから１つの眼鏡レンズを選択するにあたり、３ｍｍ＜Ｆｈの場合は遠用部領域が狭いタイプの眼鏡レンズを選択し、２．５ｍｍ＜Ｆｈ≦３ｍｍの場合は遠用部領域が中間のタイプの眼鏡レンズを選択し、０．８ｍｍ≦Ｆｈ≦２．５ｍｍの場合は遠用部領域が広いタイプの眼鏡レンズを選択する構成が好ましい。
この構成の本発明では、中近重視タイプの眼鏡レンズにおいて、遠用部領域が広いタイプ、中間のタイプ及び狭いタイプの３タイプ眼鏡レンズから装用者の好ましい１タイプの眼鏡レンズを合理的に選択することができる。
さらに、本発明では、水平注視野幅Ｆｗが３．７５ｍｍより大きく４．５ｍｍ以下の眼鏡レンズであって、遠用部領域が狭いタイプ、遠用部領域が広いタイプ及び遠用部領域が中間のタイプの３種類の眼鏡レンズから１つの眼鏡レンズを選択するにあたり、２．５ｍｍ＜Ｆｈの場合は遠用部領域が狭いタイプの眼鏡レンズを選択し、２ｍｍ＜Ｆｈ≦２．５ｍｍの場合は遠用部領域が中間のタイプの眼鏡レンズを選択し、０．５ｍｍ≦Ｆｈ≦２ｍｍの場合は遠用部領域が広いタイプの眼鏡レンズを選択する構成が好ましい。
この構成の本発明では、近近重視タイプの眼鏡レンズにおいて、遠用部領域が広いタイプ、中間のタイプ及び狭いタイプの３タイプ眼鏡レンズから装用者の好ましい１タイプの眼鏡レンズを合理的に選択することができる。
【００１１】
前記水平注視野幅決定工程は、水平注視野角Ｆａと、前記遠用アイポイントと眼球との間の眼鏡装用距離ＥＬとから水平注視野幅Ｆｗを（３）の式で求める
Ｆｗ＝ＥＬtanＦａ              （３）
構成が好ましい。
この構成の本発明では、水平注視野幅Ｆｗを簡単かつ正確に算出することができるので、判定工程での判断基準が正確となり、正しい眼鏡レンズを選択することができる。つまり、水平注視野角Ｆａは装用者が頭を動かさず水平方向に見ることができる角度であり、この角度Ｆａは水平注視野幅Ｆｗを直接求めるのに比べて正確に求めやすい。さらに、遠用アイポイントと眼球との間の眼鏡装用距離ＥＬは、装用者の側面を撮像し、この撮像から簡単かつ容易に求めることができる。そのため、この水平注視野幅Ｆｗは、水平注視野角Ｆａと眼鏡装用距離ＥＬとから求めるので、（３）の式に基づいて、簡単かつ正確に求めることができる。
【００１２】
前記水平注視野幅決定工程は、前記水平注視野角Ｆａを一定とする構成が好ましい。
この構成の本発明では、水平注視野角Ｆａは個々の装用者での相違が少ないので、この角度を一定にすることにより、簡単に水平注視野幅Ｆｗを求めることができる。
【００１３】
本発明の眼鏡レンズ選択システムは、遠用部領域、累進帯及び近用部領域を有する眼鏡レンズを選択する眼鏡レンズ選択システムであって、実際に装着する眼鏡レンズの遠用アイポイントから水平に延びる水平注視野幅Ｆｗを決定する水平注視野幅決定装置と、前記遠用アイポイントから前記近用アイポイントまでの長さの眼球下転量Ｉｎｄｉｈを測定する眼球下転量測定装置と、この眼球下転量測定装置で測定された測定値を含む情報から複数種類の眼鏡レンズから１つの眼鏡レンズを選択する選択装置とを備え、この選択装置は、前記眼球下転量Ｉｎｄｉｈと、前記遠用部領域と前記累進帯との境界線から前記遠用アイポイントまでの遠用アイポイント高さＦｈと、前記遠用部領域と前記累進帯との境界線から前記累進帯と前記近用部領域との境界線までの長さの累進帯長ＳＰｈと、前記累進帯と前記近用部領域との境界線から前記近用部領域の光学中心までの近用部高さＮｈとに基づいて（１）の式からΔＥを求め、このΔＥと、前記眼鏡レンズの玉型高さＢｈと、前記遠用アイポイントから前記眼鏡レンズ上端までの上部フレーム高さＯｈと、前記遠用アイポイント高さＦｈと、前記累進帯長ＳＰｈと、前記近用部高さＮｈと、前記眼鏡レンズから前記近用アイポイントまでの下部フレーム高さＵｈとに基づいて（２）の式からΔＢｈを求める演算部と、
ΔＥ＝Ｉｎｄｉｈ-（Ｆｈ＋ＳＰｈ＋Ｎｈ）                    （１）
ΔＢｈ＝Ｂｈ-（Ｏｈ＋Ｆｈ＋ＳＰｈ＋Ｎｈ＋ΔＥ＋Ｕｈ）      （２）
前記水平注視野幅決定装置で決定された水平注視野幅Ｆｗを満たし、０ｍｍ≦ΔＥ≦２ｍｍ、かつ、０ｍｍ＜ΔＢｈの条件を満たす眼鏡レンズを判定する判定部と、を有することを特徴とする。
この構成の本発明では、前述の効果を奏することができる装置を提供することができる。
【００１４】
前記眼球下転量測定装置は、眼鏡装用者の前記遠用アイポイントに対応する視線の位置と前記近用アイポイントに対応する視線の位置とを検出する視線位置検出手段と、この視線位置検出手段で検出された前記遠用アイポイントの位置と前記近用アイポイントの位置との間の長さを算出するとともに当該算出値を前記演算部に出力する長さ算出手段とを備えた構成が好ましい。
この構成の本発明では、近用アイポイントと遠用アイポイントとを注視する場合では眼球の視線の位置が異なるので、この位置を検出することで、眼球下転量を簡単に測定することが可能となる。
【００１５】
前記眼鏡レンズが設けられたフレームの前傾角を測定する前傾角測定手段を備えた構成が好ましい。
この構成の本発明では、前傾角を眼鏡装用者が眼鏡を装用した状態で計測できるので、装用状態にかかわらず、正確な前傾角を求めることができる。
【図面の簡単な説明】
【００１６】
【図１】本発明の一実施形態にかかる眼球下転量測定装置で測定される眼鏡レンズの概略図。
【図２】前記実施形態にかかる眼鏡レンズ選択システムの全体構成を示すブロック図。
【図３】（Ａ）（Ｂ）は前記実施形態にかかる眼球下転量測定装置の概略構成図。
【図４】（Ａ）〜（Ｃ）は眼鏡をかけた装用者を正面撮像手段で撮像した画像の概略図。
【図５】（Ａ）〜（Ｃ）は眼鏡をかけた装用者を正面撮像手段で撮像した画像の概略図。
【図６】側面撮像手段で撮像された画像の概略図。
【図７】遠用アイポイントの長さを求めることを説明するための概略図。
【図８】近用アイポイントの長さを求めることを説明するための概略図。
【図９】（Ａ）（Ｂ）は図３で示される装置とは異なる眼球下転量測定装置の概略構成図。
【図１０】（Ａ）〜（Ｃ）は眼鏡をかけた装用者を正面撮像手段で撮像した画像の概略図。
【図１１】（Ａ）〜（Ｃ）は眼鏡をかけた装用者を正面撮像手段で撮像した画像の概略図。
【図１２】水平注視野角と眼鏡装用距離との関係が示された概略図。
【図１３】（Ａ）〜（Ｃ）は遠用部領域の狭いタイプにおいて水平注視野幅の長さが異なる３種類の眼鏡レンズを示す概略図。
【図１４】（Ａ）は遠用部領域の広いＡタイプの眼鏡レンズの収差図、（Ｂ）は遠用部領域の中程度のＢタイプの眼鏡レンズの収差図、（Ｃ）は遠用部領域の狭いＣタイプの眼鏡レンズの収差図。
【図１５】演算部で演算された結果を示すテーブルの概略図。
【図１６】（Ａ）は累進帯の加入度特性のグラフ、（Ｂ）は累進帯の光学特性のグラフ。
【図１７】本発明の一実施形態にかかる眼鏡レンズ選択方法を説明するフローチャートであって遠近重視のタイプの眼鏡レンズを選択する場合の図である。
【図１８】（Ａ）〜（Ｃ）は遠近重視のタイプの眼鏡レンズにおいて、遠用部領域の広さの異なる３タイプを示す概略図。
【図１９】本発明の一実施形態にかかる眼鏡レンズ選択方法を説明するフローチャートであって中近重視のタイプの眼鏡レンズを選択する場合の図である。
【図２０】（Ａ）〜（Ｃ）は中近重視のタイプの眼鏡レンズにおいて、遠用部領域の広さの異なる３タイプを示す概略図。
【図２１】本発明の一実施形態にかかる眼鏡レンズ選択方法を説明するフローチャートであって近近重視のタイプの眼鏡レンズを選択する場合の図である。
【図２２】近近重視のタイプの眼鏡レンズにおいて、遠用部領域の広さの異なる３タイプを示す概略図。
【発明を実施するための形態】
【００１７】
以下に、本発明の一実施形態を図面に基づいて説明する。
本実施形態では、眼鏡レンズとして累進屈折力レンズを使用する。また、本実施形態では、眼鏡を装着した場合の鉛直方向を上下方向、眼鏡を装着した場合の水平方向を左右方向として説明する。
［眼鏡レンズ］
図１に示すように、眼鏡レンズ１０は、上方に位置する遠用部領域１１と、下方に位置する近用部領域１２と、これら遠用部領域１１と近用部領域１２との間に位置する累進帯１３と、累進帯１３の側方に隣接した側方領域１４と、を有している。
【００１８】
遠用部領域１１は、遠方視するのに適した相対的にプラス度数の低い平均度数を備えている。特に、装着者が正面視をした場合に瞳中心を通る水平線（つまり視線）が通過する位置を遠用アイポイントＦＰとする。この遠用アイポイントＦＰは、眼鏡レンズの幾何学中心を鉛直上方向に伸ばした線と遠用アイポイントラインＦＬとの交点に位置する。
近用部領域１２は、近方視（例えば、読書）するのに適した相対的にプラス度数の高い平均度数を備えている。特に、装着者が近方視（下方視）した場合の視線が通過する位置を近用アイポイントＮＰとする。
【００１９】
累進帯１３は、遠用部領域１１と近用部領域１２との間で相対的なプラスの平均加入度数が累進的に変化する領域である。遠用アイポイントＦＰを通過して左右方向に延びる直線を遠用アイポイントラインＦＬとする。遠用アイポイントラインＦＬの上で遠用アイポイントＦＰから遠用部領域１１と側方領域１４との境界線までの距離を水平注視野幅Ｆｗとする。
近用アイポイントＮＰを通過して左右方向に延びる直線を近用アイポイントラインＮＬとする。遠用アイポイントラインＦＬと近用アイポイントラインＮＬ間の距離（長さ）は眼球下転量Ｉｎｄｉｈである。
【００２０】
遠用部領域１１と累進帯１３との境界線から遠用アイポイントＦＰまでが遠用アイポイント高さＦｈである。遠用部領域１１と累進帯１３との境界線から累進帯１３と近用部領域１２との境界線までの長さ（距離）が累進帯長ＳＰｈである。
累進帯１３と近用部領域１２との境界線から近用部領域１２の光学中心ＮＣまでの長さ（距離）が近用部高さＮｈである。この近用部領域１２の光学中心ＮＣは近用部領域の光学設計をする際の光学中心である。
近用部領域１２の中心ＮＣと、近用部領域１２と累進帯１３との境界線との間の長さ（距離）が近用部高さＮｈである。
側方領域１４は、非点収差領域と呼ばれるエリアである。側方領域１４を通して見ると物が二重に見えたりするため、通常、装着者は側方領域１４を通して物を見ない。
【００２１】
眼鏡レンズ１０は、このような累進屈折力レンズを成形加工することにより得られ、得られた眼鏡レンズ１０はフレーム２０に装着されて眼鏡となる。
フレーム２０は、眼鏡レンズ１０を装着して枠状に取り囲むフレーム枠２１と、左右のフレーム枠２１を連結するブリッジ２２と、フレーム枠２１からヒンジを介して回動可能に取り付けられたテンプル２３（図６参照）とを備えている。フレーム枠２１は上辺部２１Ｕと下辺部２１Ｄと側辺部２１Ｓとを有する。これらの上辺部２１Ｕと下辺部２１Ｄとの間の距離が眼鏡レンズの玉型高さＢｈであり、遠用アイポイントＦＰからフレームの上辺部までの距離が上部フレーム高さＯｈである。フレーム枠２１の下辺部２１Ｄから近用アイポイントＮＰまでの距離が下部フレーム高さＵｈである。
【００２２】
図２は本実施形態の眼鏡レンズ選択システムの全体構成を示すブロック図が示されている。
図２において、眼鏡レンズ選択システムは、眼球下転量測定装置１，２と、この眼球下転量測定装置１，２から送られるデータから複数タイプの眼鏡レンズから１つの眼鏡レンズを選択する選択装置７とを備え、この選択装置７は、選択制御部７０と、第一入力部７１と、第二入力部７２と、データ出力部７３と、選択制御部７０を制御するＣＰＵ７４とを備えて構成されている。
第一入力部７１は、キーボードやペン等から構成され、選択装置７に直接入力する入力手段である。
第二入力部７２は、インターネットや電話回線等の通信手段を介してレンズ製造メーカから必要な情報が入力される手段である。
【００２３】
眼球下転量測定装置１，２は、遠用アイポイントＦＰから近用アイポイントＮＰまでの長さの眼球下転量Ｉｎｄｉｈを測定するものであり、本実施形態では、その一例として図３から図８に眼球下転量測定装置１の構成が示されており、他の例として、図９から図１１に眼球下転量測定装置２の要部が示されている。
図３（Ａ）（Ｂ）は眼球下転量測定装置１の概略構成図である。
図３（Ａ）（Ｂ）において、眼球下転量測定装置１は、装用者の視線の位置を検出する視線位置検出手段３と、眼鏡レンズ１０が設けられたフレームの前傾角θを測定する側面撮像手段４と、これらの視線位置検出手段３及び側面撮像手段４からの出力に基づいて眼球下転量Ｉｎｄｉｈを演算する長さ算出手段５とを備えている。
【００２４】
視線位置検出手段３は、装用者の遠用アイポイントＦＰに対応する視線の位置と近用アイポイントＮＰに対応する視線の位置とを検出するものであり、装用者の眼球Ｅに光を照射する光照射手段３１と、この光照射手段３１で照射した光が装用者の眼球Ｅで反射された反射光を含む正面画像を撮像する正面撮像手段３２と、これらの光照射手段３１と正面撮像手段３２を移動する移動機構３３とを有する。光照射手段３１と正面撮像手段３２とは共通のケーシング３０に設けられており、このケーシング３０は眼球Ｅの中心を回転中心として回動する移動機構３３に連結される。
光照射手段３１は近赤外線ＬＥＤから構成される。
【００２５】
正面撮像手段３２は、装用者の眼球Ｅの網膜で反射し瞳孔を通った反射光をカメラで撮像し、この撮像したデータに基づいて画像処理部で網膜反射による瞳孔の位置を検出する構成である。
図３（Ａ）は遠用アイポイントの位置を撮像する状態が示されている。図３（Ａ）において、装用者が正面を向いて正面視線ＬＦが遠用アイポイントＦＰを通った際に、正面撮像手段３２で瞳孔の位置を検出する。
画像処理部は、瞳孔の位置を検出するために、画像のうち瞳孔の部分を楕円と仮定し、楕円に内接する平行四辺形の成立条件により楕円中心を算出し、楕円中心を通る直線と交わる輪郭点の関係から輪郭点の除去を行い、除去後の楕円パラメータを最小二乗法から求める。
【００２６】
瞳孔の位置を検出する方法は、図４に具体的に示されている。図４は眼鏡をかけた装用者を正面撮像手段３２で撮像した画像３２Ａの概略図である。この画像３２Ａは後述する長さ算出手段５の表示部に表示される。
図４において、画像３２Ａには眼鏡レンズ１０とともに装用者の眼球Ｅが示されており、この眼球Ｅの画像３２Ａの右上には角度表示部３２Ｂが設けられている。この角度表示部３２Ｂは正面撮像手段３２の装用者の眼球Ｅを中心とした鉛直面内の角度を［°］で示す表示部である。図４では、装用者が正面を向いている（水平方向を見ている）状態であるため、角度は０°とされる。
【００２７】
図４（Ａ）に示される通り、まず、光照射手段３１を使用せず正面撮像手段３２で装用者の画像を撮像する。図４（Ａ）では、通常のカメラでの撮像画像と同じ画像が示されることから、眼球Ｅの瞳孔部分ＥＣが黒く撮像される。そして、この状態で、光照射手段３１から光を眼球Ｅに向けて照射すると、図４（Ｂ）に示される通り、正面撮像手段３２で撮像された画像では、瞳孔部分ＥＣの色が変わる。具体的には、いわゆる赤目と称されるように黒から赤に瞳孔部分ＥＣの色が変わる。そして、図４（Ｃ）に示される通り、図４（Ｂ）の画像から図４（Ａ）の画像を除去して、瞳孔部分ＥＣのみの画像を残す。そして、前述の方法に従って、瞳孔部分ＥＣの位置を検出する。
【００２８】
図３（Ｂ）は近用アイポイントの位置を撮像する状態を示す概略図である。図３（Ｂ）において、装用者が下方を向いて視線が近用アイポイントを通った際に、正面撮像手段３２で瞳孔の位置を検出する。
図５は眼鏡をかけた装用者を正面撮像手段３２で撮像した画像３２Ａの概略図である。図５は装用者が下を向いた状態であるので、図４に比べて装用者の眼が扁平に撮像される。
図５において、画像３２Ａには眼鏡レンズ１０とともに装用者の眼球Ｅが示されている。画像３２Ａの右上には角度表示部３２Ｂが設けられている。図５では、装用者が視線を近用アイポイントに向けている（斜め下方を見ている）状態であるため、角度は０°より大きい、図５では３０°と表示されている。
【００２９】
図５（Ａ）に示される通り、まず、光照射手段３１を使用せず正面撮像手段３２で装用者の画像を撮像する。図５（Ａ）では、眼球Ｅの瞳孔部分ＥＣが黒く撮像される。この状態で、光照射手段３１から光を眼球Ｅに向けて照射すると、図５（Ｂ）に示される通り、正面撮像手段３２で撮像された画像では、瞳孔部分ＥＣの色が変化（赤）して撮像される。そして、図５（Ｃ）に示される通り、図５（Ｂ）の画像から図５（Ａ）の画像を除去して、瞳孔部分ＥＣのみの画像を残す。そして、前述の方法に従って、瞳孔部分ＥＣの位置を検出する。
【００３０】
図３において、移動機構３３は、円弧状のドーム３３Ａと、このドーム３３Ａに沿って光照射手段３１と正面撮像手段３２とが設けられたケーシング３０を駆動する駆動部（図示せず）とを備える。この駆動部はモータ、歯車機構、チェーン等の適宜な構成を有する。
側面撮像手段４は、前傾角測定手段として機能するものであり、眼鏡レンズ１０が設けられた眼鏡を装着した装用者の側面を撮像するカメラと、このカメラで撮像された画像に基づいてフレーム２０の前傾角θを求める画像処理部とを備える。
側面撮像手段４で撮像された画像が図６に示されている。図６には、装用者が水平方向を向いた状態が撮像されているが、この装用者のフレーム２０のテンプル２３の位置やフレーム枠２１の位置等の画像に基づいて画像処理部が前傾角θを算出する。この画像処理部で算出された前傾角θのデータは長さ算出手段５に送られる。なお、本実施形態では、画像処理部を省略し、カメラで撮像された画面から作業員が前傾角θを直接求め、この数値を長さ算出手段５に別途入力するものでもよい。
【００３１】
図３において、長さ算出手段５は、キーボード等の外部入力部と、ディスプレー部と、演算部とを有するパソコンであり、正面撮像手段３２と側面撮像手段４とのそれぞれ出力された情報やその他の情報に基づいて眼球下転量Ｉｎｄｉｈを演算するものである。
眼球下転量Ｉｎｄｉｈは、遠用アイポイントラインＦＬと近用アイポイントラインＮＬ間の距離（長さ）である。本実施形態では、０．５ｍｍ単位で眼球下転量Ｉｎｄｉｈが演算される。
図７には遠用アイポイントの長さを求めることを説明するための概略図が示され、図８には近用アイポイントの長さを求めることを説明するための概略図が示されている。
【００３２】
図７及び図８に示される通り、側面撮像手段４から入力される前傾角θ、正面撮像手段３２で求められた眼球中心と遠用アイポイントＦＰとを結ぶ正面視線ＬＦ、眼球中心と近用アイポイントＮＰとを結ぶ下方視線ＬＮ、正面視線ＬＦと下方視線ＬＮとのなす角度の眼球下転角度α、下方視線ＬＮと眼鏡レンズの眼球側平面ＯＬとのなす角度β、眼鏡レンズの眼球側平面ＯＬと正面視線ＬＦとのなす角度γ、眼鏡レンズの眼球側平面ＯＬと下端２０Ｐの位置から下方視線ＬＮにおろした法線ＶＬとのなす角度δ、フレーム２０の眼鏡側面の下端２０Ｐの位置と正面視線ＬＦとの間の距離Ｋ、眼鏡側面の下端２０Ｐの位置から下方視線ＬＮにおろした法線ＶＬの距離Ｍから、フレーム２０の下端２０Ｐから近用アイポイントＮＰまでの近用アイポイントの長さＮは次の（ａ）〜（ｄ）の式から求められる。なお、距離Ｋは眼鏡レンズ１０の遠用アイポイントＦＰと下端２０Ｐとのみかけ上の長さでもあり、距離Ｍは眼鏡レンズ１０の近用アイポイントＮＰと下端２０Ｐとのみかけ上の長さでもある。
【００３３】
Ｎ＝Ｍ／COSδ                （ａ）
δ＝１８０°−（β+９０°）  （ｂ）
β=１８０°−（α+γ）        （ｃ）
γ=１８０°−（９０°+θ）    （ｄ）
また、フレーム２０の眼鏡側面の下端２０Ｐから遠用アイポイントＦＰまでの遠用アイポイントの長さＬは次の（ｅ）の式から求められる。
Ｌ=Ｋ／COSθ                    （ｅ）
さらに、眼球下転量Ｉｎｄｉｈは遠用アイポイントＦＰと近用アイポイントＮＰとの間の距離であるので、眼球下転量Ｉｎｄｉｈは次の式（ｆ）から求められる。
Ｉｎｄｉｈ＝Ｌ−Ｎ              （ｆ）
【００３４】
本実施形態では、以上の式を長さ算出手段５のメモリーに記録させておく。
なお、フレーム２０の眼鏡側面の下端２０Ｐの位置と正面視線ＬＦとの間の距離Ｋは正面撮像手段３２で正面視線ＬＦを中心で受光する位置から下端２０Ｐを中心で受光する位置まで移動させた場合の移動距離として求めることができる。同様に、下端２０Ｐの位置と下方視線ＬＮとの間の距離Ｍは正面撮像手段３２で下方視線ＬＮを中心で受光する位置から下端２０Ｐを中心で受光する位置まで移動させた場合の移動距離として求めることができる。正面撮像手段３２の移動軌跡は円弧上であるが、移動距離が眼球と正面撮像手段３２との間の距離に比べて短いので、平行移動と近似することができる。
【００３５】
図９から図１１に示される眼球下転量測定装置２について説明する。眼球下転量測定装置２は眼球下転量測定装置１に比べて正面撮像手段の構成が相違するもので、他は眼球下転量測定装置１の構成と同じである。
図９（Ａ）（Ｂ）は眼球下転量測定装置２の概略構成図であり、図３に対応する図である。図１０（Ａ）〜（Ｃ）は眼球下転量測定装置２において眼鏡をかけた装用者を正面撮像手段で撮像した画像の概略図であり、図４に対応する図である。図１１（Ａ）〜（Ｃ）は、装用者の視線が近用アイポイントを通った際に、眼球下転量測定装置２において眼鏡をかけた装用者を正面撮像手段で撮像した画像の概略図であり、図５に対応する図である。
【００３６】
図９（Ａ）（Ｂ）において、眼球下転量測定装置２は、装用者の視線の位置を検出する視線位置検出手段３Ａと、側面撮像手段４と、これらの視線位置検出手段３Ａ及び側面撮像手段４からの出力に基づいて眼球下転量Ｉｎｄｉｈを演算する長さ算出手段５とを備えている。
視線位置検出手段３Ａは、装用者の遠用アイポイントＦＰに対応する視線の位置と近用アイポイントＮＰに対応する視線の位置とを検出するものであり、光照射手段３１と、この光照射手段３１で照射した光が装用者の眼球Ｅの角膜ＳＥで反射された反射光を含む正面画像を撮像する正面撮像手段３２０と、これらの光照射手段３１と正面撮像手段３２０を移動する移動機構３３とを有する。
【００３７】
正面撮像手段３２０は、装用者の眼球Ｅの角膜ＳＥで反射した反射光をカメラで撮像し、この撮像したデータに基づいて画像処理部で角膜ＳＥの上の反射点を検出する構成である。画像処理部は角膜ＳＥの上の反射点を検出するために、眼球下転量測定装置１の画像処理部と同じ信号処理を行う。
図１０（Ａ）は遠用アイポイントの位置を撮像する状態が示されている。
図１０（Ａ）に示される通り、まず、光照射手段３１を使用せず正面撮像手段３２０で装用者の画像を撮像する。図１０（Ａ）では、通常のカメラでの撮像画像と同じ画像が示されることから、眼球Ｅの角膜ＳＥが黒く撮像される。そして、この状態で、光照射手段３１から光を眼球Ｅに向けて照射すると、図１０（Ｂ）に示される通り、正面撮像手段３２０で撮像された画像では、角膜ＳＥ上での反射点の色が変わる。そして、図１０（Ｃ）に示される通り、図１０（Ｂ）の画像から図１０（Ａ）の画像を除去して、角膜ＳＥの反射点のみの画像を残す。そして、前述と同様の方法に従って、角膜ＳＥの反射点の位置を検出する。
【００３８】
図９（Ｂ）は近用アイポイントの位置を撮像する状態を示す概略図である。図９（Ｂ）の位置で撮像された画像が図１１に示されている。
図１１（Ａ）に示される通り、まず、光照射手段３１を使用せず正面撮像手段３２０で装用者の画像を撮像する。図１１（Ａ）では、眼球Ｅの角膜ＳＥの反射点が黒く撮像される。この状態で、光照射手段３１から光を眼球Ｅに向けて照射すると、図１１（Ｂ）に示される通り、正面撮像手段３２０で撮像された画像では、角膜ＳＥの反射点の色が変化して撮像される。そして、図１１（Ｃ）に示される通り、図１１（Ｂ）の画像から図１１（Ａ）の画像を除去して、角膜ＳＥの反射点のみの画像を残す。そして、前述の方法に従って、角膜ＳＥの上の反射点の位置を検出する。
眼球下転量測定装置２でも、眼球下転量測定装置１と同様に、眼球下転量Ｉｎｄｉｈを遠用アイポイントＦＰの長さＬと近用アイポイントＮＰの長さＮとの差から求める。つまり、眼球下転量Ｉｎｄｉｈは、前述の（ｆ）式から求める。遠用アイポイントＦＰの長さＬと近用アイポイントＮＰの長さＮとは、前述の（ａ）〜（ｅ）の式から求める。
【００３９】
図１２は水平注視野角と眼鏡装用距離との関係が示された概略図である。図１２において、水平注視野幅Ｆｗは実際に装着する眼鏡レンズ１０の遠用アイポイントＦＰから水平に延びる線分であって装用者が頭の向きを変更せずに見ることが可能な範囲の長さである。つまり、眼鏡レンズ１０の眼球側面の遠用アイポイントラインＦＬの上で、眼鏡レンズ１０の眼鏡レンズの幾何学中心を鉛直上方向に伸ばした線と遠用アイポイントラインＦＬとの交点に位置する遠用アイポイントＦＰから側方に向けて視線をずらした際に頭部を振らずに見える位置ＳＰまでの距離が水平注視野幅Ｆｗである。
【００４０】
遠用アイポイントＦＰを通過する正面視線ＬＦと、眼球中心ＣＥと位置ＳＰとを結ぶ直線ＬＳとのなす角度を水平注視野角Ｆａとする。遠用アイポイントＦＰと眼球中心ＣＥとの距離を眼鏡装用距離ＥＬとすると、水平注視野幅Ｆｗは次の式で求めることができる。
Ｆｗ＝ＥＬtanＦａ          （ｇ）
図６に示される通り、側面撮像手段４は水平注視野幅Ｆｗを決定する水平注視野幅決定装置としても機能する。
【００４１】
側面撮像手段４は、カメラで撮像された画像に基づいて、装用者の眼球中心ＣＥの位置を眼球Ｅの大きさ等から推測し、この眼球中心ＣＥと遠用アイポイントＦＰとの距離である眼鏡装用距離ＥＬを画像に基づいて測定するとともに、この眼鏡装用距離ＥＬと予め入力された水平注視野角Ｆａとから式（ｇ）に基づいて水平注視野幅Ｆｗを算出する画像処理部を有する。この画像処理部で算出された水平注視野幅Ｆｗのデータは長さ算出手段５に送られる。なお、本実施形態では、画像処理部を省略し、カメラで撮像された画面から作業員が眼鏡装用距離ＥＬを直接求め、この数値を長さ算出手段５に別途入力して長さ算出手段５で水平注視野幅Ｆｗを算出する構成としてもよい。
【００４２】
本実施形態では、これらの水平注視野角Ｆａは既知のデータを参照して求めた値である。個人差は若干あるが、眼球だけで探索する範囲は左右水平方向で１０°〜１５°とされ、それ以上の広い視野では頭部を回転させて見やすい状態を作っている（日本眼光学会編：眼鏡の科学：１９７７年Ｖｏｌｕｍｅ１第３５頁〜第３７頁「両眼視機能と眼鏡」畑田豊彦著参照）。
図１３には遠用部領域１１の狭いタイプにおいて水平注視野幅Ｆｗの長さが異なる３種類の眼鏡レンズ１０が示されている。
図１３（Ａ）は遠近重視の眼鏡レンズ１０の水平注視野幅Ｆｗが示されている。遠近重視の眼鏡レンズ１０は遠方の景色と近方の書類との双方を見るために使用するものである。図１３（Ａ）で示される眼鏡レンズ１０では、例えば、水平注視野角Ｆａは、１３°より大きく（１３°＜Ｆａ）、水平注視野幅Ｆｗは６ｍｍより大きい（６ｍｍ＜Ｆｗ）。
図１３（Ｂ）では、中近重視の眼鏡レンズ１０の水平注視野幅Ｆｗが示されている。中近重視の眼鏡レンズ１０は中距離の景色と近方の書類との双方を見るために使用するものである。図１３（Ｂ）で示される眼鏡レンズ１０では、例えば、水平注視野角Ｆａは、１０°より大きく１３°以下の値であり（１０°＜Ｆａ≦１３°）、水平注視野幅Ｆｗは、４．５ｍｍより大きく６ｍｍ以下である（４．５ｍｍ＜Ｆｗ≦６ｍｍ）。
図１３（Ｃ）では、近近重視の眼鏡レンズ１０の水平注視野幅Ｆｗが示されている。近近重視の眼鏡レンズ１０はそれぞれ近方に位置するデスク上の書類と手元の書類との双方を見るために使用するものである。図１３（Ｃ）で示される眼鏡レンズ１０では、例えば、水平注視野角Ｆａは、８．５°より大きく１０°以下であり（８．５°＜Ｆａ≦１０°）、水平注視野幅Ｆｗは、３．７５ｍｍより大きく４．５ｍｍ以下である（３．７５ｍｍ＜Ｆｗ≦４．５ｍｍ）。
【００４３】
図１３（Ａ）〜（Ｃ）に示される通り、水平注視野幅Ｆｗは、図１３（Ａ）で示される遠近重視の眼鏡レンズ１０が最も長く、図１３（Ｃ）で示される近近重視の眼鏡レンズ１０が最も短く、図１３（Ｂ）で示される中近重視の眼鏡レンズは中間の長さである。このように、水平注視野幅Ｆｗが眼鏡レンズ１０のタイプによって異なる。本実施形態では、水平注視野角Ｆａは、例えば、遠近重視の眼鏡レンズ１０ではＦｗ≧１３°であり、中近重視並びに近近重視の眼鏡レンズ１０では０＜Ｆｗ＜１３°である。これらの遠近重視の眼鏡レンズ１０、中近重視の眼鏡レンズ１０並びに近近重視の眼鏡レンズ１０において、それぞれ一定の値とする。
【００４４】
図２において、選択制御部７０は、眼鏡情報データ入力部７０１と、演算部７０２と、レンズタイププロファイル部７０３と、判定部７０４とを備えている。
眼鏡情報データ入力部７０１は、眼鏡調製データ入力部７０５と、レンズ設計データ部７０６と、画像解析データ入力部７０７とを備えている。
眼鏡調製データ入力部７０５は、使い方のデータ、検眼データ、フレームデータ、フィッティングデータ等のデータが記憶されるものであり、これらのデータは第一入力部７１から入力される。眼鏡調製データ入力部７０５に記憶されるデータには、レンズの度数、加入度数、球面度数、乱視度数、乱視軸、プリズム度数等のレンズ処方データの他、遠用アイポイント高さＦｈ、近用部高さＮｈ、玉型高さＢｈ、累進帯長ＳＰｈが含まれる。これらの遠用アイポイント高さＦｈ、近用部高さＮｈ、玉型高さＢｈ、累進帯長ＳＰｈは０．５ｍｍ単位でデータが入力される。
レンズ設計データ部７０６は、処方レンズ設計プロファイルが記憶されるものであり、このデータは第二入力部７２で入力される。処方レンズ設計プロファイルはレンズ設計に必要な種々のデータであってレンズメーカーから提供される情報である。この処方レンズ設計プロファイルには演算部７０２で用いられる計算式も含まれる。
画像解析データ入力部７０７は、眼球下転量Ｉｎｄｉｈ及び眼鏡装用距離ＥＬのデータ、正面視眼画像解析データ、下方視画像解析データが記憶されるものであり、これらのデータは眼球下転量測定装置１，２から送られる。
【００４５】
演算部７０２は、眼鏡調製データ入力部７０５、レンズ設計データ部７０６及び画像解析データ入力部７０７から送られるデータに基づいて後述する演算を実施する。
つまり、演算部７０２は、眼球下転量Ｉｎｄｉｈ、遠用アイポイント高さＦｈ、累進帯長ＳＰｈ、近用部高さＮｈに基づいて（ｈ）（ｉ）の式からΔＥを求め、このΔＥと、前記眼鏡レンズの玉型高さＢｈと、上部フレーム高さＯｈと、遠用アイポイント高さＦｈ、累進帯長ＳＰｈ及び近用部高さＮｈの合計長さｔｈと、下部フレーム高さＵｈとに基づいて（ｊ）の式からΔＢｈを求める。
ｔｈ＝Ｆｈ＋ＳＰｈ＋Ｎｈ                                （ｈ）
ΔＥ＝Ｉｎｄｉｈ-ｔｈ                                    （ｉ）
ΔＢｈ＝Ｂｈ-（Ｏｈ＋ｔｈ＋ΔＥ＋Ｕｈ）                  （ｊ）
レンズタイププロファイル部７０３は、遠近重視の眼鏡レンズ１０、中近重視の眼鏡レンズ１０及び近近重視の眼鏡レンズ１０の各種類毎に、遠用部領域１１の広いＡタイプ、中程度のＢタイプ、狭いＣタイプの３タイプの基本情報が入力されている。これらの情報は第一入力部７１や第二入力部７２等の入力手段から入力されている。
【００４６】
図１４にはＡタイプからＣタイプの眼鏡レンズ１０の収差図が示されている。図１４（Ａ）にはＡタイプの眼鏡レンズ１０が示され、（Ｂ）にはＢタイプの眼鏡レンズが示され、（Ｃ）にはＣタイプの眼鏡レンズ１０が示されている。
図１４（Ａ）で示される遠用部領域１１の広いＡタイプの眼鏡レンズ１０は側方領域１４の収差が大きく、初めて累進屈折力眼鏡レンズを利用する装用者には向かないが、図１４（Ｃ）で示される遠用部領域１１の狭いＣタイプの眼鏡レンズ１０は側方領域１４の収差が小さいので、初めて累進屈折力眼鏡レンズを利用する装用者に向くものである。図１４（Ｂ）で示される遠用部領域１１が中程度の眼鏡レンズ１０はＡタイプとＣタイプとの中間である。
【００４７】
図２において、判定部７０４は演算部７０２とレンズタイププロファイル部７０３とからのデータに基づいて、遠近重視の眼鏡レンズ１０、中近重視の眼鏡レンズ１０及び近近重視の眼鏡レンズ１０毎に、遠用アイポイント高さＦｈの値に応じて、それぞれ０ｍｍ≦ΔＥ≦２ｍｍ、かつ、０ｍｍ＜ΔＢｈの条件を満たすか否かを判定する。つまり、水平注視野幅Ｆｗが６ｍｍより大きい遠近重視の眼鏡レンズ１０では、４ｍｍ＜Ｆｈ、３ｍｍ＜Ｆｈ≦４ｍｍ及び１ｍｍ≦Ｆｈ≦３ｍｍの場合において、それぞれ０ｍｍ≦ΔＥ≦２ｍｍ、かつ、０ｍｍ＜ΔＢｈの条件を満たすか否かを判定し、水平注視野幅Ｆｗが６ｍｍ以下かつ４．５ｍｍより大きい中近重視の眼鏡レンズ１０では、３ｍｍ＜Ｆｈ、２．５ｍｍ＜Ｆｈ≦３ｍｍ及び０．８ｍｍ≦Ｆｈ≦２．５ｍｍの場合において、それぞれ０ｍｍ≦ΔＥ≦２ｍｍ、かつ、０ｍｍ＜ΔＢｈの条件を満たすか否かを判定し、水平注視野幅Ｆｗが３．７５ｍｍ以上かつ４．５ｍｍ以下の近近重視の眼鏡レンズ１０では、２．５ｍｍ＜Ｆｈ、２ｍｍ＜Ｆｈ≦２．５ｍｍ及び０．５ｍｍ≦Ｆｈ≦２ｍｍの場合において、それぞれ０ｍｍ≦ΔＥ≦２ｍｍ、かつ、０ｍｍ＜ΔＢｈの条件を満たすか否かを判定する。
判定部７０４の具体的な構成について図１５に基づいて説明する。
図１５には演算部７０２で演算された結果を示すテーブル８が示されている。
図１５において、最も左の欄には遠用アイポイント高さＦｈを設定するＦｈ設定欄８１が示されており、その右隣には眼球下転量Ｉｎｄｉｈを表示する眼球下転量表示欄８２が示されている。この眼球下転量表示欄８２では、０．５ｍｍ単位で眼球下転量Ｉｎｄｉｈが表示されている。眼球下転量表示欄８２の右隣には演算結果表示部８３が示されている。この演算結果表示部８３は眼球下転量表示欄８２で表示された眼球下転量Ｉｎｄｉｈの数値に対応し（Ｈ）の式に基づいたΔＥの演算値が表示される。演算結果表示部８３の最上列８３０はスタンダードな累進帯長の長さが表示される。
【００４８】
判定部７０４は、演算値を、ΔＥが０ｍｍ以上となる使用可能領域８３Ａと、ΔＥがマイナスの数値となる使用不可能領域８３Ｂとにわける。さらに、使用可能領域８３Ａを、０ｍｍ≦ΔＥ≦１ｍｍの数値をとるボーダー領域８３Ｃと、１ｍｍ＜ΔＥの数値をとる安全領域８３Ｄとにわける。この安全領域８３Ｄで、ΔＥの数値は小さい方が好ましく、本実施形態では、１ｍｍ＜ΔＥ≦２ｍｍの数値をとる範囲を最適領域８３Ｅとして使用する。
例えば、眼球下転量Ｉｎｄｉｈが１８ｍｍである場合、安全領域８３Ｄの行８３Ｓで示される範囲の数値は使用可能であり、行８３Ｓで示される数値のうち最も低い数値である「２」に対応するスタンダードな累進帯長Ｓは１０ｍｍである。このＳ１０の列において、最適領域８３Ｅに含まれる数値は「２」である。
この安全領域８３Ｄの範囲内の行８３Ｓの中にある該当する複数の値から数値の小さいもの（最適領域８３Ｅの値）を次の理由から選択する。
【００４９】
図１６（Ａ）には累進帯の加入度特性のグラフが示され、図１６（Ｂ）には累進帯の光学特性のグラフが示されている。図１６（Ａ）において、加入度を３Ｄ上げるために累進帯長を１８ｍｍとする場合と、８ｍｍとする場合の２つの例が示されている。図１６（Ｂ）から、加入度を３Ｄ上げるために累進帯長を１８ｍｍとする場合が８ｍｍとする場合に比べてばらつきが小さい。つまり、図１６から、同じ加入度を上げるには累進帯長が長い方がぼけにくく、装用者が見易いことがわかる。また、式（ｈ），（ｉ）から、累進帯長ＳＰｈが長いほどΔＥが小さくなる。したがって、ぼけにくく装用者が見易い眼鏡レンズは、ΔＥの小さい眼鏡レンズとなる。本実施形態では、累進帯長の選択肢が複数ある場合には、安全領域８３Ｄの中の行８３Ｓの中で、最も数値の小さい数値を選択する。
図１５で示される例では、判定部７０４は、安全領域８３Ｄの中の行８３Ｓに含まれる数値の小さい「２」をΔＥとして利用する。
【００５０】
図２に戻り、データ出力部７３は、眼鏡情報データ入力部７０１と判定部７０４とから、フレームデータ、装用データ、処方データ、遠用部領域１１の広いＡタイプ、中程度のＢタイプ、狭いＣタイプの遠用部領域１１の広さを基準とした眼鏡レンズのタイプ、遠近重視、中近重視、近近重視の使用目的を基準とした眼鏡レンズのタイプ、レンズ加工データ、その他レンズを製造する上で必要な情報が出力されるもので、例えば、ディスプレー等が具体的に例示することができる。
【００５１】
次に、本発明の一実施形態にかかる眼鏡レンズ選択方法を図１７から図２２に基づいて説明する。
まず、遠近重視のタイプの眼鏡レンズにおける選択方法を図１７及び図１８に基づいて説明する。遠近重視タイプの眼鏡レンズは水平注視野幅Ｆｗが６ｍｍより大きい眼鏡レンズである。
図１７は遠近重視のタイプの眼鏡レンズを選択する場合のフローチャートである。
［水平注視野幅決定工程］
水平注視野幅決定工程は遠用アイポイントＦＰから水平に延びる水平注視野幅Ｆｗを決定する工程である。
まず、装用者が検査対象となる眼鏡レンズ１０の眼鏡をかけ、自然な状態で、装用者に遠くをみるように正面に視線を向けてもらう。この状態の装用者の側面を側面撮像手段４で撮像し、眼鏡装用距離ＥＬを求める。この眼鏡装用距離ＥＬと、予め設定された水平注視野角Ｆａとから水平注視野幅Ｆｗを算出する。この水平注視野幅Ｆｗのデータは選択装置７に入力される（Ｓ１０１）。
【００５２】
［眼球下転量測定工程］
図３で示される眼球下転量測定装置２において、眼球下転量Ｉｎｄｉｈを求める方法について説明する。まず、装用者が検査対象となる眼鏡レンズ１０の眼鏡をかけ、側面撮像手段４で前傾角θを測定する。そして、装用者に遠くをみるように正面に視線を向けてもらい、正面撮像手段３２を装用者の正面に対向するように位置させ、移動機構３３で移動させつつ装用者の正面を撮像する。装用者が正面を向いており、装用者の視線に一致すると思われる位置に正面撮像手段３２を配置し、撮像を開始する。
まず、図４（Ａ）に示される通り、光照射手段３１を使用せず正面撮像手段３２で装用者の画像を撮像し、光照射手段３１から光を装用者の眼球Ｅに向けて照射する。図４（Ｂ）に示される通り、正面撮像手段３２で撮像された画像の瞳孔部分が赤となっている場合にはその位置が遠用アイポイントＦＰであり、その角度が正面撮像手段３２に記憶される。瞳孔部分が赤になっていない場合には、正面撮像手段３２をすこしずつ移動して遠用アイポイントＦＰの位置を求める。その後、眼鏡レンズ１０の下端２０Ｐの位置が正面の位置となるまで正面撮像手段３２を下方にゆっくり移動させ、その位置を求め、眼鏡レンズ１０の遠用アイポイントＦＰと下端２０Ｐとの間のみかけ上の長さＫを測定する。
【００５３】
その後、自然な状態で、装用者に近くをみるように下方に視線を向けてもらう。この下方の視線に対応すると推測される位置まで正面撮像手段３２を移動機構３３で移動させ、装用者を撮像する。まず、図５（Ａ）に示される通り、光照射手段３１を使用せず正面撮像手段３２で装用者の画像を撮像し、光照射手段３１から光を装用者の眼球Ｅに向けて照射する。図５（Ｂ）に示される通り、正面撮像手段３２で撮像された画像の瞳孔部分が赤となっている場合にはその位置が近用アイポイントＮＰであり、正面視線と下方視線とのなす角度αが眼球下転角である。瞳孔部分が赤になっていない場合には、正面撮像手段３２をすこしずつ移動して近用アイポイントＮＰの位置を求める。その後、眼鏡レンズ１０の下端２０Ｐの位置が正面の位置となるまで正面撮像手段３２を下方にゆっくり移動させ、その位置を求め、眼鏡レンズ１０の近用アイポイントＮＰと下端２０Ｐとの間のみかけ上の長さＭを測定する。
以上の工程で測定されたデータは長さ算出手段５に出力され、この長さ算出手段５では、前述の式（ａ）〜（ｆ）に基づいて眼球下転量Ｉｎｄｉｈが算出される。
図１７に示される通り、眼球下転量Ｉｎｄｉｈのデータは選択装置７に入力される（Ｓ１０２）。
そして、選択装置７に遠用アイポイント高さＦｈ、近用部高さＮｈ、玉型高さＢｈ、累進帯長ＳＰｈ、上部フレーム高さＯｈ、下部フレーム高さＵｈ、その他のレンズ情報やフレーム情報が入力される（Ｓ１０３）。
【００５４】
［演算工程］
以上のデータは演算部７０２に送られ、この演算部７０２では、眼球下転量Ｉｎｄｉｈ、遠用アイポイント高さＦｈ、累進帯長ＳＰｈ及び近用部高さＮｈに基づいて、ΔＥを演算し、さらに、このΔＥと、玉型高さＢｈと、上部フレーム高さＯｈと、遠用アイポイント高さＦｈと、累進帯長ＳＰｈと、近用部高さＮｈと、下部フレーム高さＵｈとに基づいてΔＢｈを演算する（Ｓ１０４）。
【００５５】
［判定工程］
演算部７０２からの演算結果と水平注視野幅Ｆｗとに基づいて判定部７０４では、前述の通り、３種類の眼鏡レンズ１０のそれぞれについて判定をする。
例えば、図１８で示される遠近重視のタイプの眼鏡レンズ１０では、４ｍｍ＜Ｆｈ、０ｍｍ≦ΔＥ≦２ｍｍ、０ｍｍ＜ΔＢｈの条件を満たすか否かを判定し（Ｓ１０５）、条件を満たす場合には図１８（Ａ）で示されるＣタイプの眼鏡レンズ１０を選択し（Ｓ１０６）、条件を満たさない場合にはＢタイプのレンズが条件を満たすか否かを判定する（Ｓ１０７）。
Ｂタイプのレンズの選択条件は、３ｍｍ＜Ｆｈ≦４ｍｍ、０ｍｍ≦ΔＥ≦２ｍｍ、０ｍｍ＜ΔＢｈであり、これらの条件を満たす場合には図１８（Ｂ）で示されるＢタイプの眼鏡レンズ１０を選択し（Ｓ１０８）、条件を満たさない場合にはＡタイプのレンズが条件を満たすか否かを判定する（Ｓ１０９）。
Ａタイプのレンズの選択条件は、１ｍｍ≦Ｆｈ≦３ｍｍ、０ｍｍ≦ΔＥ≦２ｍｍ、０ｍｍ＜ΔＢｈであり、これらの条件を満たす場合には図１８（Ｃ）で示されるＡタイプの眼鏡レンズ１０を選択し（Ｓ１１０）、条件を満たさない場合にはＡからＣタイプ以外の他のレンズを選択する（Ｓ１１１）。
【００５６】
次に、中近重視タイプの眼鏡レンズにおける選択方法を図１９及び図２０に基づいて説明する。中近重視タイプの眼鏡レンズは水平注視野幅Ｆｗが４．５ｍｍより大きく６ｍｍ以下の眼鏡レンズである。
図１９は中近重視のタイプの眼鏡レンズを選択する場合のフローチャートである。図１９で示される通り、中近重視タイプの眼鏡レンズの選択方法は図１７で示される遠近重視タイプの眼鏡レンズの選択方法と手順が同じであるが、レンズ選択条件の数値が異なる。つまり、中近重視のタイプの眼鏡レンズ１０では、３ｍｍ＜Ｆｈ、０ｍｍ≦ΔＥ≦２ｍｍ、０ｍｍ＜ΔＢｈの条件を満たすか否かを判定し（Ｓ１０５）、条件を満たす場合には図２０（Ａ）で示されるＣタイプの眼鏡レンズ１０を選択し（Ｓ１０６）、条件を満たさない場合にはＢタイプのレンズが条件を満たすか否かを判定する（Ｓ１０７）。Ｂタイプのレンズの選択条件は、２．５ｍｍ＜Ｆｈ≦３ｍｍ、０ｍｍ≦ΔＥ≦２ｍｍ、０ｍｍ＜ΔＢｈであり、これらの条件を満たす場合には図２０（Ｂ）で示されるＢタイプの眼鏡レンズ１０を選択し（Ｓ１０８）、条件を満たさない場合にはＡタイプのレンズが条件を満たすか否かを判定する（Ｓ１０９）。Ａタイプのレンズの選択条件は、０．８ｍｍ≦Ｆｈ≦２．５ｍｍ、０ｍｍ≦ΔＥ≦２ｍｍ、０ｍｍ＜ΔＢｈであり、これらの条件を満たす場合には図２０（Ｃ）で示されるＡタイプの眼鏡レンズ１０を選択し（Ｓ１１０）、条件を満たさない場合にはＡからＣタイプ以外の他のレンズを選択する（Ｓ１１１）。
そして、近近重視タイプの眼鏡レンズにおける選択方法を図２１及び図２２に基づいて説明する。近近重視タイプの眼鏡レンズは水平注視野幅Ｆｗが３．７５ｍｍより大きく４．５ｍｍ以下の眼鏡レンズである。
図２１は近近重視のタイプの眼鏡レンズを選択する場合のフローチャートである。図２１で示される通り、近近重視タイプの眼鏡レンズの選択方法は図１７で示される遠近重視タイプの眼鏡レンズの選択方法と手順が同じであるが、レンズ選択条件の数値が異なる。つまり、近近重視のタイプの眼鏡レンズ１０では、２．５ｍｍ＜Ｆｈ、０ｍｍ≦ΔＥ≦２ｍｍ、０ｍｍ＜ΔＢｈの条件を満たすか否かを判定し（Ｓ１０５）、条件を満たす場合には図２２（Ａ）で示されるＣタイプの眼鏡レンズ１０を選択し（Ｓ１０６）、条件を満たさない場合にはＢタイプのレンズが条件を満たすか否かを判定する（Ｓ１０７）。Ｂタイプのレンズの選択条件は、２ｍｍ＜Ｆｈ≦２．５ｍｍ、０ｍｍ≦ΔＥ≦２ｍｍ、０ｍｍ＜ΔＢｈであり、これらの条件を満たす場合には図２２（Ｂ）で示されるＢタイプの眼鏡レンズ１０を選択し（Ｓ１０８）、条件を満たさない場合にはＡタイプのレンズが条件を満たすか否かを判定する（Ｓ１０９）。Ａタイプのレンズの選択条件は、０．５ｍｍ≦Ｆｈ≦２ｍｍ、０ｍｍ≦ΔＥ≦２ｍｍ、０ｍｍ＜ΔＢｈであり、これらの条件を満たす場合には図２２（Ｃ）で示されるＡタイプの眼鏡レンズ１０を選択し（Ｓ１１０）、条件を満たさない場合にはＡからＣタイプ以外の他のレンズを選択する（Ｓ１１１）。
【００５７】
従って、本実施形態では、次の作用効果を奏することができる。
（１）遠用アイポイントＦＰから水平に延びる水平注視野幅Ｆｗを決定する水平注視野幅決定工程を側面撮像手段４で実施し、眼球下転量Ｉｎｄｉｈを測定する眼球下転量測定工程を眼球下転量測定装置１，２で実施し、眼球下転量Ｉｎｄｉｈと、遠用アイポイント高さＦｈと、累進帯長ＳＰｈと、近用部高さＮｈとに基づいて、ΔＥ＝Ｉｎｄｉｈ−（Ｆｈ＋ＳＰｈ＋Ｎｈ）の式からΔＥを求める手順と、このΔＥと、玉型高さＢｈと、上部フレーム高さＯｈと、遠用アイポイント高さＦｈと、累進帯長ＳＰｈと、近用部高さＮｈと、下部フレーム高さＵｈとに基づいて、ΔＢｈ＝Ｂｈ−（Ｏｈ＋Ｆｈ＋ＳＰｈ＋Ｎｈ＋ΔＥ＋Ｕｈ）の式からΔＢｈを求める手順とを有する演算工程を演算部７０２で実施し、水平注視野幅Ｆｗが決定された値であり、０ｍｍ≦ΔＥ≦２ｍｍであり、かつ、０ｍｍ＜ΔＢｈの条件を満たす判定工程を判定部７０４で実施した。そのため、複数タイプから１つの累進屈折力眼鏡レンズを選択するにあたり、まず、水平注視野幅Ｆｗを満たすことを条件としたので、個々の装用者が頭を動かさず水平方向に見る範囲が確保される。そして、０ｍｍ≦ΔＥを満たすことを条件としたので、個々の装用者が眼鏡をつけた際に、視線を遠用部領域と近用部領域とに通過させることができる。その上、ΔＥ≦２であるため、フレーム２０のマージンの２ｍｍが考慮されているので、合理的な設計を実施することができる。さらに、０ｍｍ＜ΔＢｈであるため、個々の装用者により異なるΔＥの値を加えて眼鏡レンズの玉型高さＢｈが適正か否かを判断することができる。以上のことから、装用者にとって疲れない眼鏡レンズ１０を合理的に設計することができ、しかも、眼や頭の動きを捉える装置や複雑な処理を行うソフトウェアも不要とされるので、眼鏡レンズの選択を安価に行うことができる。
【００５８】
（２）判定工程では、まず、遠用部領域１１が狭い眼鏡レンズ１０において、判定工程を実施し、この判定工程の条件を満たしている場合には当該眼鏡レンズ１０を選択し、遠用アイポイント高さＦｈの値が判定工程の条件を満たしていない場合には、遠用部領域１１が狭い眼鏡レンズ１０よりも遠用部領域１１が広いタイプの眼鏡レンズ１０において前述の判定工程を実施することにした。そのため、遠用部領域１１の狭いタイプから広いタイプに眼鏡レンズ１０の選択の順位がつけられているので、初めて累進屈折力眼鏡レンズを使用する装用者や使用期間の短い装用者に好ましい眼鏡レンズを提供することができる。
【００５９】
（３）遠用部領域１１が広いＡタイプ、遠用部領域１１が中間のＢタイプ及び遠用部領域１１が狭いＣタイプの３種類のタイプの眼鏡レンズ１０から１つの眼鏡レンズ１０を選択することにした。そして、これらの３タイプの眼鏡レンズ１０から１つのタイプの眼鏡レンズ１０を選択するにあたり、遠用部領域１１が広いＡタイプ、中間のＢタイプ及び狭いＣタイプの３タイプの眼鏡レンズから装用者に好ましい１タイプの眼鏡レンズを合理的に選択することができる。
つまり、遠近重視タイプの眼鏡レンズでは、水平注視野幅Ｆｗが６ｍｍより大きいものであり、かつ、４ｍｍ≦Ｆｈの場合は遠用部領域１１が狭いＣタイプの眼鏡レンズを選択し、３ｍｍ＜Ｆｈ＜４ｍｍの場合は遠用部領域１１が中間のＢタイプの眼鏡レンズを選択し、１ｍｍ≦Ｆｈ≦３ｍｍの場合は遠用部領域１１が広いＡタイプの眼鏡レンズを選択することにした。さらに、中近重視タイプの眼鏡レンズでは、水平注視野幅Ｆｗが４．５ｍｍより大きく６ｍｍ以下のものであり、３ｍｍ＜Ｆｈの場合は遠用部領域が狭いＣタイプの眼鏡レンズを選択し、２．５ｍｍ＜Ｆｈ≦３ｍｍの場合は遠用部領域が中間のＢタイプの眼鏡レンズを選択し、０．８ｍｍ≦Ｆｈ≦２．５ｍｍの場合は遠用部領域が広いＡタイプの眼鏡レンズを選択する。そして、近近重視タイプの眼鏡レンズでは、水平注視野幅Ｆｗが３．７５ｍｍより大きく４．５ｍｍ以下であって、２．５ｍｍ＜Ｆｈの場合は遠用部領域が狭いＣタイプの眼鏡レンズを選択し、２ｍｍ＜Ｆｈ≦２．５ｍｍの場合は遠用部領域が中間のＢタイプの眼鏡レンズを選択し、０．５ｍｍ≦Ｆｈ≦２ｍｍの場合は遠用部領域が広いＡタイプの眼鏡レンズを選択する。遠近重視タイプ、中近重視タイプ及び近近重視タイプの各種の眼鏡レンズにおいて、それぞれ、遠用部領域１１が広いＡタイプ、中間のＢタイプ及び狭いＣタイプの３タイプの眼鏡レンズから装用者に好ましい１タイプの眼鏡レンズを合理的に選択することができるので、装用者にとってより好ましい眼鏡レンズを提供することができる。特に、遠近重視タイプの眼鏡レンズにおいて、４ｍｍ≦Ｆｈの場合は遠用部領域１１が狭いＣタイプの眼鏡レンズ１０を始めに選択するようにしたから、初めての装用者などにとって好ましい眼鏡レンズ１０を提供することができる。
【００６０】
（４）水平注視野幅決定工程は、水平注視野角Ｆａと眼鏡装用距離ＥＬとに基づいて、水平注視野幅Ｆｗを、Ｆｗ＝ＥＬtanＦａの式で求めた。そのため、水平注視野幅Ｆｗを簡
単かつ正確に算出することができるので、判定工程での判断基準が正確となり、正しい眼鏡レンズを選択することができる。
【００６１】
（５）水平注視野角Ｆａは個々の装用者での相違が少ない事実に着目し、この角度を遠近重視の眼鏡レンズ１０、中近重視の眼鏡レンズ１０、さらには、近近重視の眼鏡レンズ１０毎に一定にした。そのため、簡単に水平注視野幅Ｆｗを求めることができることになり、選択手順を簡略化し、レンズ設計コストを低減することができる。
【００６２】
（６）水平注視野幅Ｆｗを決定するための水平注視野角Ｆａを、遠近重視の眼鏡レンズ１０と、中近重視の眼鏡レンズ１０と、近近重視の眼鏡レンズ１０とでその値を変えることにしたので、眼鏡レンズの使用目的に対応して好ましい眼鏡レンズの選択を行うことができる。
【００６３】
（７）眼球下転量測定装置１，２は、眼鏡装用者の遠用アイポイントＦＰに対応する視線の位置と近用アイポイントＮＰに対応する視線の位置とを検出する視線位置検出手段３と、この視線位置検出手段３で検出された遠用アイポイントＦＰの位置と近用アイポイントＮＰの位置との間の長さを算出するとともに当該算出値を演算部７０２に出力する長さ算出手段５とを備えた構成とした。近用アイポイントＮＰと遠用アイポイントＦＰとを注視する場合では眼球の視線の位置が異なるので、これらの位置を検出することで、眼球下転量Ｉｎｄｉｈを簡単に測定することが可能となり、その結果、演算工程並びに判定工程での精度を向上させることができる。
【００６４】
（８）眼鏡レンズ１０が設けられたフレーム２０の前傾角θを測定する前傾角測定手段として側面撮像手段４を備えたから、前傾角θを眼鏡装用者が眼鏡を装用した状態で計測できるので、装用状態にかかわらず、正確な前傾角θを求めることができ、その結果、演算工程並びに判定工程での精度を向上させることができる。
【００６５】
なお、本発明は前述の実施形態に限定されるものではなく、本発明の目的および効果を達成できる範囲内での変形や改良が、本発明の内容に含まれるものであることはいうまでもない。
例えば、前記実施形態では、遠用部領域１１が広いＡタイプ、遠用部領域１１が中間のＢタイプ及び遠用部領域１１が狭いＣタイプの３種類のタイプの眼鏡レンズ１０から１つの最適な眼鏡レンズ１０を選択することにしたが、本発明では、遠用部領域１１の広さを大きく２つに区分し、これらの２つのタイプから選択するようにしてもよく、あるいは、遠用部領域１１の広さを４つ以上に区分し、これらの４つ以上のタイプから１つの眼鏡レンズを選択することにしてもよい。
【００６６】
さらに、水平注視野幅決定工程において、水平注視野角Ｆａを装用者個々に応じて設定するものでもよい。また、水平注視野角Ｆａを、遠近重視の眼鏡レンズ１０、中近重視の眼鏡レンズ１０及び近近重視の眼鏡レンズ１０でも共通としてもよい。
また、図１５で示されるテーブル８をマニュアル用として予め作成し、このマニュアルに基づいて眼鏡レンズを選択するものでもよい。
【産業上の利用可能性】
【００６７】
本発明は、累進屈折力レンズを選択する装置として、眼鏡の販売店等で広く利用することができる。
【符号の説明】
【００６８】
１，２…眼球下転量測定装置、３，３Ａ…視線位置検出手段、４…側面撮像手段（水平注視野幅決定装置、前傾角測定手段）、５…長さ算出手段、７…選択装置、１０…眼鏡レンズ、１１…遠用部領域、１２…近用部領域、１３…累進帯、２０…フレーム、２０Ｐ…下端、２１…フレーム枠、２１Ｄ…下辺部、２１Ｕ…上辺部、３１…光照射手段、３２，３２０…正面撮像手段、３３…移動機構、３３Ａ…ドーム、７０…選択制御部、７１…第一入力部、７２…第二入力部、７３…データ出力部、７０１…眼鏡情報データ入力部、７０２…演算部、７０３…レンズタイププロファイル部、７０４…判定部、ＥＰ…遠用アイポイント、Ｉｎｄｉｈ…眼球下転量、ＮＰ…近用アイポイント、α…眼球下転角度、θ…前傾角、Ｆａ…水平注視野角、Ｆｗ…水平注視野幅
【図１】
2011048327.tif 000003
【図２】
2011048327.tif 000004
【図３】
2011048327.tif 000005
【図４】
2011048327.tif 000006
【図５】
2011048327.tif 000007
【図６】
2011048327.tif 000008
【図７】
2011048327.tif 000009
【図８】
2011048327.tif 000010
【図９】
2011048327.tif 000011
【図１０】
2011048327.tif 000012
【図１１】
2011048327.tif 000013
【図１２】
2011048327.tif 000014
【図１３】
2011048327.tif 000015
【図１４】
2011048327.tif 000016
【図１５】
2011048327.tif 000017
【図１６】
2011048327.tif 000018
【図１７】
2011048327.tif 000019
【図１８】
2011048327.tif 000020
【図１９】
2011048327.tif 000021
【図２０】
2011048327.tif 000022
【図２１】
2011048327.tif 000023
【図２２】
2011048327.tif 000024